(57)【要約】【課題】オーブン内に残るフィルム片を低減し粘着性のフィルムを安定して生産するための横延伸装置を提供すること。【解決手段】上記課題を解決するために、鋭意検討した結果、プラスチック等のフィルム状の帯状物にエアダクト内の加熱空気を吹き出しノズルを通して吹き付けると共に、前記帯状物を所定の方向に移動させながら延伸する横延伸装置であって、前記吹き出しノズルの接触面積が低減されているか、あるいは前記吹き出しノズルが粘着防止処理が施されていることを特徴とする横延伸装置。【選択図】  なし【特許請求の範囲】
【請求項１】
プラスチック等のフィルム状の帯状物にエアダクト内の加熱空気を吹き出しノズルを通して吹き付けると共に、前記帯状物を所定の方向に移動させながら延伸する横延伸装置であって、前記吹き出しノズルの接触面積が低減されていることを特徴とする横延伸装置。
【請求項２】
プラスチック等のフィルム状の帯状物にエアダクト内の加熱空気を吹き出しノズルを通して吹き付けると共に、前記帯状物を所定の方向に移動させながら延伸する横延伸装置であって、前記吹き出しノズルが粘着防止処理が施されていることを特徴とする横延伸装置。
【請求項３】
請求項１あるいは２記載の横延伸装置であって、前記吹き出しノズルが樹脂コーティングを施されていることを特徴とする横延伸装置。
【請求項４】
請求項１あるいは２記載の横延伸装置であって、前記吹き出しノズルが網状の樹脂コーティングを施されていることを特徴とする横延伸装置。
【発明の詳細な説明】
【０００１】
【発明の属する技術分野】
この発明はプラスチックフィルムを工業的に生産する方法に関するものでありプラスチックフィルムを製造する装置の一部を構成する横延伸装置に関するものである。特に表面に粘着性を有するフィルムに好適な横延伸装置を提供するものである。
【０００２】
【従来の技術】
従来、プラスチックフィルムの製造において、延伸フィルムを製造する装置として横延伸装置がある。この横延伸装置はフィルムの移動方向に長尺に構成されたオーブンとこのオーブン内の両側に配置され、多数のテンタークリップを閉ループ状に連結してクリップチェーンを走行駆動する走行装置とから構成されている。
さらにこのオーブンではフィルムの両面に温度制御された風を吹き付けることによりフィルムの温度を制御してプラスチックフィルムを所定の巾、物性に延伸することができるものである。
【０００３】
風を吹き付けるためにオーブン内に金属製のノズルがフィルムの進行方向に配置されている。このノズルは各種形状があるが、一般的に通常はフィルムと接触することは無い位置に上面、下面ともに配置されている。
しかし、製膜開始時やフィルムが破れたときにフィルムが弛んで、波を打つことによりノズルと接触する場合があり、フィルムの特性やオーブンの温度条件によりノズルにフィルムが粘着してフィルム片がオーブン内に残る場合がある。
特に粘着性を有するフィルムの場合に顕著であり残ったフィルム片が生産中に舞い上がりフィルムに付着することで製品を破断させたり、製品中に欠点となって混入し生産性の点で大きな問題となっていた。
【０００４】
【発明が解決しようとする課題】
この発明は上記事情に着目してなされたものであり、その目的とするところはノズルとフィルムの粘着強さに着目し、粘着性を低減することによりオーブン内に残るフィルム片を低減し粘着性のフィルムを安定して生産するための横延伸装置を提供することにある。
【０００５】
【課題を解決するための手段】
上記課題を解決するために、鋭意検討した結果、プラスチック等のフィルム状の帯状物にエアダクト内の加熱空気を吹き出しノズルを通して吹き付けると共に、前記帯状物を所定の方向に移動させながら延伸する横延伸装置であって、前記吹き出しノズルの接触面積が低減されていることを特徴とする横延伸装置あるいは、プラスチック等のフィルム状の帯状物にエアダクト内の加熱空気を吹き出しノズルを通して吹き付けると共に、前記帯状物を所定の方向に移動させながら延伸する横延伸装置であって、前記吹き出しノズルが粘着防止処理が施されていることを特徴とする横延伸装置によりノズルとフィルムの粘着性を低減することを見出した。
【０００６】
接触面積を低減するには表面に凹凸をつけることや、パンチングプレートのような開口部を持つ材料を使うことが可能である。
【０００７】
また、接着力を低減するために樹脂系の材料を使うことが可能であり、使用温度により各種材料を使用できる。温度が高い場合はテフロン（Ｒ）系の材料が適している。
【０００８】
この場合において、前記吹き出しノズルが樹脂コーティングを施されていることを特徴とする横延伸装置が好適である。
【０００９】
さらに、この場合において、請求項２記載の横延伸装置であって、前記吹き出しノズルが網状の樹脂コーティングを施されていることを特徴とする横延伸装置が好適である。
【００１０】
これら２つの項目を同時に安価に対応できるものとして、テフロン（Ｒ）コーティングを施したネットコンベアーが挙げられ、相乗効果により粘着性を激減することが可能である。
【００１１】
【発明実施の形態】
本発明による粘着性フィルムに適した横延伸装置の実施の形態について詳細に説明する。
図１において一般的な横延伸機内部のモデル図を示す。また図２において進行方向に向かって切断した断面のモデル図を示す。フィルム１がテンタークリップ２により、搬送される。このときに、ノズル４から吹き出した熱風によりフィルム温度を制御し、テンタークリップ２を巾方向に移動させることによりフィルム１を横方向に延伸することができる。
【００１２】
本発明の横延伸機は、図３に、図４に一例を示したように、ノズル４の表面に粘着防止策を実施したものであり、粘着防止策としては、接触面積を低減する方法と、材質の変更により接着力を低減する方法の２種類があり具体的に前者は梨地表面にしたり、パンチングプレートなどの表面積の小さいものを使用する方法がある。また、後者はテフロン（Ｒ）コーティングを行う方法がある。
【００１３】
さらに両者を組み合わせた方法として、テフロン（Ｒ）のネットコンベアーを使用する方法がある。相乗効果で粘着性を低減することができる。
【００１４】
ネットの網目については、フィルムの特性、オーブン温度、熱風風速の条件から最適値を決めることができる。
【００１５】
また、図３の様に、各ノズルに設置する方法と図５の様に全体に覆いかぶせる方法があるが、どちらを採用しても同様の効果が得られる。
【００１６】
以上のように本発明によればノズルとフィルムの粘着力を低減できるためオーブン３の内部にフィルム片が残ることを低減できるため、製品の破断や欠点による格落ちを低減することが可能となり生産性向上に寄与することができる。
【００１７】
【実施例】
以下に実施例を挙げて本発明をより具体的に説明するが、本発明は下記の実施例によって制限を受けるものではなく、前後の主旨を逸脱しない限度で適当に変更を加えて実施することが可能であり、それらはいずれも本発明の技術的範囲に含まれる。
【００１８】
（評価方法）
［破断回数］破断の回数が１日に１件以下の場合を○、１〜５件の場合を△、５件以上の場合を×としてランク付けした。
［欠点数］巻き取り後のロール１本に入る欠点の数が５個未満を○、５〜１０個を△、１０個以上を×としてランク付けした。
［掃除時間］オーブンの掃除にかかる時間が時間未満を○、１〜２時間を△、２時間以上を×としてランク付けした。
【００１９】
［実施例１，２、比較例１，２］
ポリエステルベースの粘着性フィルムを１５０ｍ／ｍｉｎで逐次延伸方式で生産した。
実施例１ではノズル表面にガラス繊維にテフロン（Ｒ）樹脂をコーティングしたネットを巻きつける粘着防止策を施した横延伸機を用いて生産を実施し破断回数、欠点数、掃除時間について評価した。ただしネットの網目については５メッシュのものを使用した。
実施例２ではノズルとフィルムの間に実施例１で使用したものと同様のネットをフィルムとノズルの間に張る方法で粘着防止策を施した横延伸機を用いて生産を実施し実施例１と同様の評価を行った。
実施例３ではノズルにテフロン（Ｒ）コーティング板のカバーを設置する方法で粘着防止策を施した横延伸機を使用して生産を実施し、実施例１と同様の評価を行った。
【００２０】
比較例では実施例の粘着防止策を施さない一般的な横延伸機を使用して生産を行い、実施例と同様の評価を行った。
【００２１】
上記結果を表１に示す。
【００２２】
【表１】
2004330732.tif 000002
【００２３】
実施例１、２及び比較例１，２から分かるように、実施例では破断、欠点数ともに良好となり生産性が優れていることが分かる。また、掃除時間も低減され、生産性が高い横延伸機を提供していることが分かる。
【００２４】
【発明の効果】
本発明の横延伸機によれば品質の向上により生産性の優れた粘着フィルムの製造装置を提供でき産業界に寄与すること大である。
【図面の簡単な説明】
【図１】一般的な横延伸機内部のモデルを示す概略図である。
【図２】一般的な横延伸機のフィルム進行方向に沿った断面のモデルを示す概略図である。
【図３】本発明の一実施形態を示す概略図である。
【図４】図３のノズルの拡大図を示す概略図である。
【図５】本発明の一実施形態を示す概略図である。
【符号の説明】
１  フィルム
２  テンタークリップ
３  オーブン
４  ノズル
５  ヒーター
６  ファン
７  粘着防止用テフロン（Ｒ）ネット
８  熱風吹き出し口
【図１】
2004330732.tif 000003
【図２】
2004330732.tif 000004
【図３】
2004330732.tif 000005
【図４】
2004330732.tif 000006
【図５】
2004330732.tif 000007